【手続補正書】
【提出日】平成18年6月27日(2006.6.27)
【手続補正１】
【補正対象書類名】明細書
【補正対象項目名】全文
【補正方法】変更
【補正の内容】
【書類名】  明細書
【発明の名称】  ガス絶縁開閉装置
【特許請求の範囲】
【請求項１】
主母線とブッシング引出回線とケーブル引出回線とを有するガス絶縁開閉装置において、前記ブッシング引出回線を前記主母線の一方に配置し、前記ケーブル引出回線は反対方向に配置し、前記ブッシング引出回線の遮断器は横置形とし、前記ケーブル引出回線の遮断器は縦置形としたことを特徴とするガス絶縁開閉装置。
【請求項２】
請求項１において、前記ブッシング引出回線の母線と前記ケーブル引出回線の母線を前記主母線に対して直交させ、直線上に配置したことを特徴とするガス絶縁開閉装置。
【請求項３】
請求項１において、前記ブッシング引出回線の遮断器と母線を前記主母線に対して斜めに配置したことを特徴とするガス絶縁開閉装置。
【発明の詳細な説明】
【０００１】
【発明の属する技術分野】
本発明は機器の配置構成を改良したガス絶縁開閉装置に関する。
【０００２】
【従来の技術】
図１に特開平１１−２１５６２８号公報に記載されている従来のガス絶縁開閉装置の配置構成（平面図）を示し、また、図２にブッシング引出回線の側面図を示す。
【０００３】
図１に示したガス絶縁開閉装置は図示下側からブッシング引出回線３Ａ、ケーブル引出回線４Ａ、ケーブル引出回線４Ｃ、ケーブル引出回線４Ｂ、ブッシング引出回線３Ｂが配置され、各々主母線１と電気的に接続されている。ブッシング引出回線３、ケーブル引出回線４共に遮断器５は縦置形であり、主母線１に対してケーブルヘッド側に配置されている。ブッシング引出回線３の電気的接続は図２のように主母線１から縦置形遮断器５Ａを介し、主母線１の上方に配置した断路器６Ａを通過し、一旦立ち下がった後、母線７Ａを介してブッシング８Ａに接続される。
【０００４】
【発明が解決しようとする課題】
従来の配置では、主母線上方に配置された断路器上端とブッシング頭部との絶縁距離Ｌを確保するために、ブッシング引出回線３の母線７Ａを延長して主母線１から遠い位置にブッシング８Ａを配置する必要があり、設置面積が増大し、母線７Ａも長くなるという問題点を有する。
【０００５】
また、ブッシング引出回線用遮断器が主母線に対してケーブルヘッド側に配置されているため、ケーブル引出回線はブッシング引出回線の側方にしか配置することが出来ない。つまり、図１の配置では５回線分の遮断器を配置するために、横方向（図１の上下方向）に５回線分の配置スペースが必要となり、横方向の設置面積の増大と共に主母線長も長くなる。
【０００６】
ブッシング引出回線用遮断器を母線のブッシング側に配置した場合には、遮断器上端部とブッシング頭部との絶縁距離を確保するために、図１よりもブッシングは主母線から遠く配置する必要があり、図１で左右方向の距離を長く取らなければならず、母線７Ａの長さが長くなり、ガス絶縁開閉装置の設置面積が大きくなってしまう。
【０００７】
主母線に対してブッシング側に他の回線を増設した場合、縦方向の設置面積が更に広くなるため、他の回線を増設する場合、主母線を延長してケーブル引出回線の側方に配置する必要がある。しかし、この方法では配置スペースは横方向に広くなってしまい、主母線も長くなる。
【０００８】
本発明の目的は縦・横方向の設置面積を縮小し、母線長を短くすると共に増設性の向上を図れるガス絶縁開閉装置を提供することにある。
【０００９】
【課題を解決するための手段】
以上のような課題を解決するために、請求項１記載の発明は、主母線と主母線の一方に配置された複数のブッシングを電気的に接続したブッシング引出回線及び主母線と主母線の他方に配置された他の電力機器引出部を電気的に接続したケーブル引出回線からなる電力機器において、ブッシング引出回線の遮断器を横置形、ケーブル引出回線の遮断器を縦置形にすることを特徴とする。
【００１０】
請求項１の発明では、ブッシング引出回線の遮断器を主母線に対してブッシング側に横置形で配置することにより、主母線上方を通過する断路器及び母線の設置高さを低減できるのでブッシング頭部と断路器上端部の距離が長くなるため、主母線とブッシング間の距離を短く配置することができ設置面積を縮小することが可能である。また、母線の短小化も可能となる。
【００１１】
請求項２の発明では、主母線に対してブッシング側に配置したブッシング引出回線の母線と他の電力機器引出部側に配置したケーブル引出回線の母線を主母線に対して直交させ、直線上に配置させることにより、主母線におけるケーブル引出回線の引出部とブッシング引出回線の引出部が共有可能となる。従来のケーブル引出回線の配置スペースを他回線の配置スペースとすることが可能で、増設性の向上を図ることができる。
【００１２】
また、上述のようにブッシング引出回線の母線とケーブル引出回線の母線を直線上に配置することにより、従来のように両者を主母線の軸線方向にずらせて配置する必要がないため、主母線方向のガス絶縁開閉装置全体の配置面積が縮小化可能である、と同時に、主母線長の短小化も図ることができる。
【００１３】
請求項１において、ブッシング引出回線の母線及び遮断器を斜めに配置し、特に、主母線引出部とブッシングを結ぶ直線上にブッシング引出回線の母線を配置することにより、母線長の短小化を図ることができる。
【００１４】
【発明の実施の形態】
以下、本発明の実施例を図３〜図７に基づいて説明する。
【００１５】
図３は、本発明を実施したガス絶縁開閉装置（実施例１）を示す平面図である。また、図４は図３におけるブッシング引出回線，ケーブル引出回線を示す側面図である。
【００１６】
実施例1では、図３及び図４に示すように、主母線４２Ａに対してブッシング８４Ａ側に横置形遮断器４５Ａを含むブッシング引出回線４３Ａを配置し、他電力機器引出部側に縦置形遮断器４６Ａを含むケーブル引出回線４４Ａを配置している。ブッシング引出回線４３Ａと主母線４２Ａは母線４７Ａで接続されており、母線４７Ａとケーブル引出回線の母線４８Ａを主母線４２Ａに対して直交させ、同一直線上に配置している。
【００１７】
このように、ブッシング引出回線４３Ａの遮断器４５Ａを横置形とし、ブッシング引出回線４３Ａの母線４７Ａは図４に見られる如く設置高さを低くできるので、母線４７Ａ上部とブッシング８４Ａ頭部の距離Ｌが長くなり、ブッシングを主母線４２Ａに近づけて配置可能であり、設置面積の縮小化が可能となる。
【００１８】
また、ブッシング引出回線４３Ａの遮断器４５Ａを横置形とすることにより、遮断器４５Ａを主母線４２Ａのブッシング側に配置でき、主母線４２Ａを挟んで反対側（他電力機器引出部側）にはケーブル引出回線４４Ａを配置することができるため、ケーブル引出回線４４Ａとケーブル引出回線４４Ｃの間にスペースが出来る。このスペースは図５に示すように他回線の増設用として活用することが可能である。図５の符号６１Ａ、６２Ｂは増設したケーブル引出回線を示している。
【００１９】
図６はガス絶縁開閉装置の他の実施例を示す平面図である。
【００２０】
図６の実施例（第２実施例）では、図２〜５に示す実施例（第１実施例）における増設用のスペースを無くし、主母線長の短小化と設置面積の縮小化を図っている。第２実施例は第１実施例に対して、主母線長は約４０％、設置面積は約２２％の削減が可能である。
【００２１】
請求項３の実施例を図７の平面図に示す。
【００２２】
図７において主母線引出部８３Ａとブッシング８４Ａを結ぶ直線上にブッシング引出回線の母線８１Ａ、８２Ａを配置することにより、母線長の縮小化が可能となる。図７の実施例では母線８１Ａ、８２Ａの長さは、第1実施例に比べて約２９％程度削減可能である。この実施例は第１実施例、第２実施例のどちらでも実施可能である。
【００２３】
なお、本発明は以上のような実施形態に限定されるものではなく、各機器の形状、材質、数量、などは適宜変更可能である。例えば、主母線は三相一括ではなく、相分離形の主母線でも実施可能である。
【００２４】
【発明の効果】
以上説明したように、請求項１記載の発明によれば、横置形遮断器と縦置形遮断器を組み合わせて配置することにより、配置面積の縮小化が可能となる。
【００２５】
請求項２記載の発明によれば、ブッシング引出回線の母線とケーブル引出回線の母線を主母線に対して直交させ、直線上に配置することにより、ガス絶縁開閉装置の増設性が向上、或いは、設置面積の縮小化、主母線長の短小化が可能となる。
【００２６】
請求項３記載の発明によれば、ブッシング引出回線の遮断器及び母線を主母線に対して斜めに配置することにより、母線長の短小化が可能となる。
【図面の簡単な説明】
【図１】
従来のガス絶縁開閉装置を示す平面図である。
【図２】
従来のガス絶縁開閉装置を示す側面図である。
【図３】
本発明の実施形態（実施例１）を示す平面図である。
【図４】
本発明の実施形態（実施例１）を示す側面図である。
【図５】
図３における増設回線を配置した平面図である。
【図６】
本発明の実施形態（実施例２）を示す平面図である。
【図７】
本発明の他の実施例を示す平面図である。
【符号の説明】
４２Ａ…主母線、４３Ａ…ブッシング引出回線、４５Ａ…横置形遮断器、４４Ａ…ケーブル引出回線、４４Ｃ…ケーブル引出回線、４５Ａ…ブッシング引出回線、４６Ａ…縦置形遮断器、４７Ａ…母線、４８Ａ…ケーブル引出回線の母線、８３Ａ…主母線引出部、８４Ａ…ブッシング、８１Ａ、８２Ａ…ブッシング引出回線の母線。
【手続補正２】
【補正対象書類名】図面
【補正対象項目名】全図
【補正方法】変更
【補正の内容】
【図１】
2002305815.tif 000001
【図２】
2002305815.tif 000002
【図３】
2002305815.tif 000003
【図４】
2002305815.tif 000004
【図５】
2002305815.tif 000005
【図６】
2002305815.tif 000006
【図７】
2002305815.tif 000007